(57)【特許請求の範囲】
【請求項１】
所定長さで区切られている音声情報単位とその音声情報単位毎の情報となる音声情報ヘッダと、上記音声情報単位に視覚的に相当する視覚情報単位とその視覚情報単位毎の情報であり、かつ上記音声情報ヘッダに結合する視覚情報ヘッダとを情報提供媒体から読み取る読み取り手段と、
上記読み取り手段が読み取った上記音声情報ヘッダを記録する音声ヘッダ記録手段と、
上記読み取り手段が読み取った上記音声情報単位を再生して発音する音声情報再生発音手段と、
キー操作入力を監視し、キー操作入力に応じて上記音声ヘッダ記録手段から上記音声情報ヘッダを呼び出しそれに結合する視覚情報ヘッダを検出して上記音声情報単位に視覚的に相当する視覚情報単位を表示部に表示させる制御手段と
を備えることを特徴とする情報再生装置。
【請求項２】
上記制御手段は、上記表示部に表示させた上記視覚情報単位中の所定の小単位に対する指定を上記視覚情報ヘッダに基づいて特定し、該当の小単位を説明する視覚関連情報を上記表示部に表示させることを特徴とする請求項１記載の情報再生装置。
【請求項３】
上記制御手段は上記情報提供媒体が書き込み可能であるとき、上記視覚情報ヘッダに視覚情報の管理項目を書き込みさせることを特徴とする請求項１記載の情報再生装置。
【請求項４】
上記制御手段は上記情報提供媒体が書き込み可能であるとき、上記音声情報ヘッダに音声情報の管理項目を書き込みさせることを特徴とする請求項１記載の情報再生装置。
【請求項５】
所定長さで区切られている音声情報単位とその音声情報単位毎の情報となる音声情報ヘッダと、上記音声情報単位に視覚的に相当する視覚情報単位とその視覚情報単位毎の情報であり、かつ上記音声情報ヘッダに結合する視覚情報ヘッダとを情報提供媒体から読み取る読み取りステップと、
上記読み取りステップで読み取った上記音声ヘッダを記録する音声ヘッダ記録ステップと、
上記読み取りステップが読み取った上記音声情報単位を再生して発音する音声情報再生発音ステップとを備え、
キー操作入力を監視し、キー操作入力に応じて上記音声ヘッダ記録ステップから上記音声情報ヘッダを呼び出しそれに結合する視覚情報ヘッダを検出して上記音声情報単位に視覚的に相当する視覚情報単位の視覚情報を表示部に表示する
ことを特徴とする情報再生方法。
【請求項６】
所定長さで区切られている音声情報単位に視覚的に相当する視覚情報単位を、キー操作入力に応じて任意に音声情報単位に同期して表示部に表示させるための情報提供媒体であって、
上記音声情報単位毎の情報となる音声情報ヘッダに対して、上記視覚情報単位毎の情報となる視覚情報ヘッダを結合させていることを特徴とする情報提供媒体。
【請求項７】
上記視覚情報単位内の所定の小単位に関する視覚関連情報を備えていることを特徴とする請求項６記載の情報提供媒体。
【請求項８】
書き込みが可能な記録媒体であり、上記視覚情報ヘッダに上記視覚情報の管理項目が書き込まれることを特徴とする請求項６記載の情報提供媒体。
【請求項９】
書き込みが可能な記録媒体であり、上記音声情報ヘッダに上記音声情報の管理項目が書き込まれることを特徴とする請求項６記載の情報提供媒体。
【発明の詳細な説明】
【０００１】
【発明の属する技術分野】
本発明は、音声情報とその音声情報に関連した視覚情報を読み出して再生する情報再生装置及び方法、並びに情報記録媒体に関する。
【０００２】
【従来の技術】
従来の音声再生装置では、再生ポイントの頭出し機能はあっても、その“コンテンツ”のストーリーが単に再生されるだけである。また、電子辞書も辞書の電子化に過ぎず、ストーリーとリンクしていない。
【０００３】
例えば、英会話を勉強する場合は、テープに相当する音声処理装置、そして音声を文字として認識するためのテキスト、さらに必要によっては、その内容を調べるための辞書がそれぞれ必要である。
【０００４】
【発明が解決しようとする課題】
ところで、英会話を勉強する場合に必要とされる上記装置、テキスト、辞書等は、全てが独立して存在しているため、持ち運びや取り扱いが不便であり通勤電車等での同時使用は、かなりの制約を受ける。
【０００５】
本発明は、上記実情に鑑みてなされたものであり、目的のストーリーに対して音声、文字、映像といったものを最適な形で任意にとりだせる情報再生装置及び方法、並びに情報記録媒体の提供を目的とする。
【０００６】
【課題を解決するための手段】
本発明に係る情報再生装置は、上記課題を解決するために、所定長さで区切られている複数の音声情報単位とその音声情報単位毎の情報となる複数の音声情報ヘッダと、上記複数の音声情報単位に視覚的に相当する複数の視覚情報単位とその視覚情報単位毎の情報であり、かつ上記音声情報ヘッダに結合する複数の視覚情報ヘッダとを情報提供媒体から読み取る読み取り手段と、上記読み取り手段が読み取った上記音声ヘッダを記録する音声ヘッダ記録手段と、上記読み取り手段が読み取った上記音声情報単位を再生して発音する音声情報再生発音手段と、キー操作入力を監視し、キー操作入力に応じて上記音声ヘッダ記録手段から上記音声情報ヘッダを呼び出しそれに結合する視覚情報ヘッダを検出して上記音声情報単位に視覚的に相当する視覚情報単位の視覚情報を表示部に表示させる制御手段とを備えることを特徴とする。
【０００７】
本発明に係る情報再生方法は、上記課題を解決するために、所定長さで区切られていると複数の音声情報単位とその音声情報単位毎の情報となる複数の音声情報ヘッダと、上記複数の音声情報単位に視覚的に相当する複数の視覚情報単位とその視覚情報単位毎の情報であり、かつ上記音声情報ヘッダに結合する複数の視覚情報ヘッダとを情報提供媒体から読み取る読み取りステップと、上記読み取りステップで読み取った上記音声ヘッダを記録する音声ヘッダ記録ステップと、上記読み取りステップが読み取った上記音声情報単位を再生して発音する音声情報再生発音ステップとを備え、キー操作入力を監視し、キー操作入力に応じて上記音声ヘッダ記録ステップから上記音声情報ヘッダを呼び出しそれに結合する視覚情報ヘッダを検出して上記音声情報単位に視覚的に相当する視覚情報単位の視覚情報を表示部に表示することを特徴とする。
【０００８】
また、本発明に係る情報提供媒体は、上記課題を解決するために、所定長さで区切られている複数の音声情報単位に視覚的に相当する複数の視覚情報単位を、キー操作入力に応じて任意に複数の音声情報単位に同期して表示部に表示させるための情報提供媒体であって、上記音声情報単位毎の情報となる複数の音声情報ヘッダに対して、上記複数の視覚情報単位毎の情報となる複数の視覚情報ヘッドを結合させていることを特徴とする。
【０００９】
【発明の実施の形態】
以下、本発明の実施の形態について図面を参照しながら説明する。この実施の形態となる、情報再生装置の具体例の構成を図１に示す。この情報再生装置１は、例えばＣＤ−ＲＡＭのようなランダムアクセス可能な記録媒体から音声情報を再生して出力しながら、ユーザの操作によって音声情報と同期して文字や画像等の視覚情報を再生して表示すると共に、ユーザに辞書機能を自由に使わせることができる。
【００１０】
この情報再生装置１は、マイクロコンピュータ２に記録媒体ドライバー６と、音声ドライバー９と、文字・画像表示ドライバー１１と、ｋｅｙ（ボタン）操作部１３と、ヘッダー記録部１４を接続している。
【００１１】
マイクロコンピュータ２は、中央処理装置（ＣＰＵ）２とＲＯＭ４とＲＡＭ５を有している。ＣＰＵ２はワードカウンタ（word counter）の機能を備え、詳細は後述するが、文字ヘッダと文字情報単位内の小単位（例えば単語）毎をカウンタにて管理し、ポインターが指している情報を特定する。ＲＯＭ４には情報再生装置１の基本プログラムが格納されており、電源投入後に起動する。ＲＡＭ５は音声をスムーズに出すためのバッファとして使われる。
【００１２】
記録媒体ドライバー６は、記録媒体読み取り部７と記録媒体駆動部８を有している。音声ドライバー９にはスピーカ１０が接続している。また、文字・画像表示ドライバ１１には例えばＬＣＤからなる情報表示部１２が接続している。
【００１３】
記録媒体ドライバー６には取り外し可能な記録媒体が装着される。この記録媒体は、本発明の情報提供媒体の具体例であり、所定長さで区切られている複数の音声情報単位（以下、単に音声情報という）Ｓn-Ｉに視覚的に相当する複数の文字情報単位（以下、単に文字情報という）Ｃn-Ｉを、ｋｅｙ（ボタン）操作部１３からのキー操作入力に応じて任意に複数の音声情報単位に同期して情報表示部１２に表示させるための情報提供媒体であり、上記音声情報の情報となる複数の音声情報ヘッダ（以下、単に音声ヘッダという）Ｓn-Ｈに対して、上記複数の文字情報の情報となる複数の文字情報ヘッダ（以下、単に文字ヘッダという）Ｃn-Ｈを結合させている。上記記録媒体は、記録媒体ドライバー６の駆動部８によりマイクロコンピュータ２の制御で回転される。
【００１４】
ヘッダ記録部１４は記録媒体読み取り部７が読み取った上記音声ヘッダＳn-Ｈを記録する。音声ドライバ９は記録媒体読み取り部７が読み取った上記音声情報Ｓn-Ｉに応じた音声をスピーカ９から発音させる。
【００１５】
マイクロコンピュータ２はｋｅｙ操作部１３を監視し、キー操作入力に応じて上記ヘッダ記録部１４から上記音声ヘッダＳn-Ｈを呼び出し、それに結合する文字ヘッダＣn-Ｈを記録媒体から検出して上記音声情報Ｓn-Ｉに視覚的に相当する文字情報Ｃn-Ｉを文字・画像表示ドライバ１１を介して情報表示部１２に表示させる。
【００１６】
ｋｅｙ操作部１３には、図２に示すように、一つ前の音声の頭出しを指示するための「Pre」キー２１、情報プレイの選択を指示するための「ED」キー２２、辞書機能を指示するための「Dic」キー２３、再生を指示するための「Play」キー２４、情報の選択を指示するため、或いは情報表示部のスクロールスイッチとしての左進みキー２５ａ及び右進みキー２５ｂ、レベル等の設定の確定を指示する「EXE」キー２６、繰り返しを指示するためのリピート「Repeat」キー２７、メニュー画面を指示するための「MENU」キー２８が設けられている。
【００１７】
情報表示部１２は例えばＬＣＤからなり、音声情報に同期して文字情報を図３に示すように表示する。また、ポイントタ（アンダーライン）で現在選択されている語句を示すこともできる。
【００１８】
また、マイクロコンピュータ２は、情報表示部１２に表示させた上記文字情報Ｃn−Ｉに対するユーザからの任意の指定を特定し、その文字情報Ｃn−Ｉを説明するための例えば辞書データＤnＤを情報表示部１２に表示させる。
【００１９】
例えば、音声ヘッダＳn-Ｈ、音声情報Ｓn-Ｉ、文字ヘッダＣn-Ｈ、文字情報Ｃn-Ｉと、さらに辞書データＤnＤが図４に示すようなストーリーで記録媒体に格納されているときの図１に示す情報再生装置１の動作を図５のフローチャートを参照しながら以下に説明する。図５は情報再生装置１のマイクロコンピュータ２の処理手順を示すフローチャートである。
【００２０】
先ず、上記ストーリーの入った記録媒体が記録媒体ドライバー６にセットされると、マイクロコンピュータ２は上記記録媒体の所定の位置に記録されている媒体情報を記録媒体読み取り部７を使って読み取り、情報再生装置１の能力に適合しているか否かを確認する。
【００２１】
次に、ステップＳ２でｋｅｙ操作部１３の「PLAY」キー２４が操作されると、駆動部８を使って記録媒体を回転駆動しながら記録媒体から記録媒体読み取り部７を使って音声ヘッダＳn-Ｈを読み取りヘッダー記録部１４に書き込んでいく。このとき、ステップＳ３で音声情報Ｓn-Ｉを読み込み、音声ドライバー９を通して、スピーカ１０から発音させる。なお、ここでは、音声をスムーズに発音させるため、記録媒体から読み取った音声情報をＲＡＭ５にバッファリングすることでタイミングを計っている。
【００２２】
そして、マイクロコンピュータ２は上記ステップＳ２からステップＳ３の処理を繰り返しながら、ステップＳ４でユーザからｋｅｙ操作部１３の「ED」キー２２が操作されたかを監視する。ここで、「ED」キー２２が操作されると、ステップＳ５に移りヘッダー記録部１４より音声ヘッダＳn-Ｈを呼び出し、さらにステップＳ６で音声ヘッダＳn-Ｈに結合されて記録されている文字ヘッダＣn-Ｈを検索する。
【００２３】
ステップＳ７では、ステップＳ６で検索された文字ヘッダＣn-Ｈの文字情報Ｃn-Ｉを表示する。情報表示部１２ではポインタ（例えばアンダーライン）を管理して文字情報Ｃn-Ｉ内の小単位情報（例えば単語）を管理する。因みに文字ヘッダＣn-Ｈには、文字情報Ｃn-Ｉ内の小単位毎の連続する識別番号が書かれている。このため、ステップＳ７では、表示している文字情報Ｃn-Ｈ内の小単位情報（例えば単語）をカウンターにて管理できる。
【００２４】
すなわち、上記記録媒体には、上記文字情報単位内の所定の小単位（単語）に関する関連情報、ここでは識別番号が書かれており、ＣＰＵ３はその識別番号をカウントできる。
【００２５】
このため、ユーザにより上記左進みキー２５ａや右進みキー２５ｂが操作され、情報表示部１２上で上記ポインタが所定の小単位の単語を指し示しながら、ステップＳ８でユーザによりｋｅｙ操作部１３の「Dic」キー２３が操作されると、マイクロコンピュータ２はその情報を特定し、必要に応じてステップＳ９で辞書機能を動作させる。そして、ステップＳ１０で動作確認して、ステップＳ８若しくはステップＳ２に戻り、上記一連の動作を繰り返す。
【００２６】
次に、情報再生装置１の具体的な動作について説明する。先ず、英会話のコンテンツを格納している記録媒体を使って、ユーザが英会話を学習する際の動作を説明する。
【００２７】
図６には記録媒体上に格納された英会話コンテンツのストーリーの一部を示す。図６の（Ａ）には音声ヘッダＳn-Ｈと、音声情報Ｓn-Ｉの具体例を示す。音声ヘッダＳn-Ｈのチャプターchapter1-1は、“Do you carry any Japanese newspaper”という音声情報Ｓn-Ｉの単位情報である。また、音声ヘッダＳn-Ｈのチャプターchapter1-2は、“Nope,Nothing like that aorry”という音声情報Ｓn-Ｉの単位情報である。
【００２８】
図６の（Ｂ）には文字ヘッダＣn-Ｈと、文字情報Ｃn-Ｉの具体例を示す。音声ヘッダＳn-Ｈのチャプターchapter1-1に結合する文字ヘッダＣn−Ｈは、文字情報Ｃn-Ｉには英語、日本語、辞書の情報が文字で書かれているという単位情報を示している。特にこの文字情報Ｃn-Ｉには、
“Do1 you2 carry3 any4 japanese5  newspaper6”
と、日本語訳“日本の新聞は有りますか？”が記されている。また、小単位情報となる単語毎に番号が割り当てられている。さらに、ユーザによりｋｅｙ操作部１３中の左進みキー２５ａ又は右進みキー２５ｂにより移動されるポインターが例えばアンダーラインで記されている。ＣＰＵ３はワードカウンタ（word counter）の機能により、この文字情報単位内の単語をカウントし、ポインターが指している情報を特定する。
【００２９】
図６の（Ｃ）には音声ヘッダＳn-Ｈの各チャプターchapteｒ1-1，1-2の各単語に割り当てられている番号、例えばchapteｒ1-1-3、1-1-6、1-2-5で特定できる単語「Carry」、「Newspaper」、「Sorry」と、その意味「運ぶ・配備する」、「新聞」、「申し訳ない」を示す。なお、ここでは発音記号等も付加してよい。
【００３０】
そして、図６の（Ｂ）に示したポインターがチャプターchapter1-1内の例えば単語番号６の“Newspaper”を示した状態で、上記図５のステップＳ８でユーザによりｋｅｙ操作部１３の「Dic」キー２３が操作されると、マイクロコンピュータ２はステップＳ９で辞書機能を動作させ、“新聞”を情報表示部１２に表示する。
【００３１】
そして、上記図６に一部を示した英会話コンテンツを記録している記録媒体が情報再生装置１の記録媒体ドライバー６にセットされたとき、情報再生装置１は以下のように動作する。図７は情報表示部１２の表示状態を示す図である。
【００３２】
先ず、ユーザがｋｅｙ操作部１３の「ＭＥＮＵ」キー１３でｐｌａｙ方法を確定すると、マイクロコンピュータ２は図５に示したステップＳ１で、情報再生装置１の能力に適合しているか否かを確認する。
【００３３】
次に、ユーザがｋｅｙ操作部１３の「ＰＬＡＹ」キー２４を操作して再生を開始すると、マイクロコンピュータ２は図５に示したステップＳ２により駆動部８を使って記録媒体を回転駆動しながら記録媒体から記録媒体読み取り部７を使って音声ヘッダＳn-Ｈを読み取りヘッダー記録部１４に書き込んでいく。このとき、ステップＳ３で音声情報Ｓn-Ｉを読み込み、音声ドライバー９を通して、スピーカ１０から発音させる。例えば、“Do you carry Japanese newspaper?”がスピーカ１０から発音されているとする。
【００３４】
ここで、ユーザが上記文章を聞きとることができなく、不明であるとしてｋｅｙ操作部１３の「ＥＤ」キー２２を操作すると、マイクロコンピュータ２は上記図５のステップＳ４でｋｅｙが操作されたと判断し、ステップＳ５に移りヘッダー記録部１４より音声ヘッダＳn-Ｈを呼び出し、さらにステップＳ６で音声ヘッダＳn-Ｈに結合されて記録されている文字ヘッダＣn-Ｈを検索する。ステップＳ７では、ステップＳ６で検索された文字ヘッダＣn-Ｈの文字情報Ｃn-Ｉ、すなわち「Do you carry Japanese newspaper?」を図７の（Ａ）に示すように情報表示部１２に表示する。情報表示部１２は装置の都合上、大きさに制限があり、上記文章を全て表示することができず、「Do you Carry」というように一部を表示するが、アンダーラインで示すカーソルをｋｅｙ操作部１３の右進みキー２５ｂで右に動かすことにより、図７の（Ｂ）に示すように残りの「Japanese newspaper?」を表示することができる。もちろん、右に動いたカーソルを左進みキー２５ａで左に動かすことにより、図７の（Ｃ）に示すように、「Do you Carry」を表示することができる。このとき、音声ドライバー９を介してスピーカ１０からは、“Do you carry Japanese newspaper?”という音声が繰り返し出力されている。特に自動繰り返し用のｋｅｙ「Repeat key on」を操作させるようにしてもよい。
【００３５】
さらに、この情報再生装置１では、ユーザにより上記左進みキー２５ａや右進みキー２５ｂが操作され、情報表示部１２上で上記カーソルが所定の小単位の単語を指し示しながら、ステップＳ８でユーザによりｋｅｙ操作部１３の「Dic」キー２３が操作されると、マイクロコンピュータ２はワードカンター機能を使い、その単語を特定し、ステップＳ９で辞書機能を動作させる。例えば、「newspaper」にカーソルがあてられてから、「Dic」キー２３が操作されると、図７の（Ｄ）に示すように、単語の意味が表示されるほか、上記左進みキー２５ａや右進みキー２５ｂにより発音記号を表示するようにしてもよい。ユーザにより「Dic」キー２３がもう一度操作されると元の表示画面に戻る。もちろん、「Dic」キー２３をトグルキーとしてカーソルによる単語の指定機能と辞書表示機能を繰り返すようにしてもよい。
【００３６】
最後にユーザにより例えばｋｅｙ操作部１３の「Ｐｒｅ」キー２１が操作されると、マイクロコンピュータ２は一つ前の文章の音声をスピーカ１０から発音させる。もし、ユーザが不明な文章がなく、上記「ＥＤ」キー２２を操作しなければ情報再生装置１はそのまま音声の再生を続けていく。
【００３７】
次に、情報再生装置１の具体的な他の動作について説明する。日本の歴史のコンテンツを格納している記録媒体を使って、ユーザが歴史を学習する際の動作を説明する。
【００３８】
図８には記録媒体上に格納された歴史コンテンツのストーリーの一部を示す。図８の（Ａ）には音声ヘッダＳn-Ｈと、音声情報Ｓn-Ｉの具体例を示す。音声ヘッダＳn-Ｈのチャプターchapter1-1は、“とくがわいえやすは、１６００年にせきがはらのたたかいでしょうりした。”という音声情報Ｓn-Ｉの単位情報である。
【００３９】
図８の（Ｂ）には文字ヘッダＣn-Ｈと、文字情報Ｃn-Ｉの具体例を示す。音声ヘッダＳn-Ｈのチャプターchapter1-1に結合する文字ヘッダＣn−Ｈは、文字情報Ｃn-Ｉには日本語辞書と画像がリンクするという単位情報を示している。特にこの文字情報Ｃn-Ｉには、
“徳川家康1 関ヶ原の戦い2 ”
と記されている。また、小単位情報となる単語毎に番号が割り当てられている。さらに、ユーザによりｋｅｙ操作部１３中の左進みキー２５ａ又は右進みキー２５ｂにより移動されるカーソルが記されている。ＣＰＵ３はワードカウンタ（word counter）の機能により、この文字情報単位内の単語をカウントし、カーソルが指している情報を特定する。
【００４０】
図８の（Ｃ）には音声ヘッダＳn-Ｈの各チャプターchapteｒ1-1，1-2の各単語に割り当てられている番号、例えばchapteｒ1-1-１、1-1-２で特定できる単語「徳川家康」、「関ヶ原の戦い」に関する辞書Ｄn-Ｄを示す。「徳川家康」については画像であり、「関ヶ原の戦い」については単語の意味を示している。
【００４１】
そして、図８の（Ｂ）に示したポインターがチャプターchapter1-1内の例えば単語番号１の「徳川家康」を示した状態で、上記図５のステップＳ８でユーザによりｋｅｙ操作部１３の「Dic」キー２３が操作されると、マイクロコンピュータ２はステップＳ９で辞書機能を動作させ、その顔の画像を情報表示部１２に表示する。
【００４２】
そして、上記図８に一部を示した歴史コンテンツを記録している記録媒体が情報再生装置１の記録媒体ドライバー６にセットされたとき、情報再生装置１は以下のように動作する。図９は情報表示部１２の表示状態を示す図である。
【００４３】
先ず、ユーザがｋｅｙ操作部１３の「ＭＥＮＵ」キー１３でｐｌａｙ方法を確定すると、マイクロコンピュータ２は図５に示したステップＳ１で、情報再生装置１の能力に適合しているか否かを確認する。
【００４４】
次に、ユーザがｋｅｙ操作部１３の「ＰＬＡＹ」キー２４を操作して再生を開始すると、マイクロコンピュータ２は図５に示したステップＳ２により駆動部８を使って記録媒体を回転駆動しながら記録媒体から記録媒体読み取り部７を使って音声ヘッダＳn-Ｈを読み取りヘッダー記録部１４に書き込んでいく。このとき、ステップＳ３で音声情報Ｓn-Ｉを読み込み、音声ドライバー９を通して、スピーカ１０から発音させる。例えば、“とくがわいえやすは、１６００年にせきがはらのたたかいでしょうりした。”がスピーカ１０から発音されているとする。
【００４５】
ここで、ユーザが上記文章を聞きとることができなく、不明であるとしてｋｅｙ操作部１３の「ＥＤ」キー２２を操作すると、マイクロコンピュータ２は上記図５のステップＳ４でｋｅｙが操作されたと判断し、ステップＳ５に移りヘッダー記録部１４より音声ヘッダＳn-Ｈを呼び出し、さらにステップＳ６で音声ヘッダＳn-Ｈに結合されて記録されている文字ヘッダＣn-Ｈを検索する。ステップＳ７では、ステップＳ６で検索された文字ヘッダＣn-Ｈの文字情報Ｃn-Ｉ、すなわち「徳川家康は、１６００年に関ヶ原の戦いで勝利した。”を情報表示部１２に表示する。ここで、情報表示部１２は装置の都合上、大きさに制限があり、上記文章を全て表示することができず、図９の（Ａ）に示すように「徳川家康は１６００年に」というように一部を表示するが、アンダーラインで示すカーソルをｋｅｙ操作部１３の右進みキー２５ｂで右に動かすことにより、図９の（Ｂ）に示すように残りの「関ヶ原の戦いで勝利した。」を表示することができる。もちろん、右に動いたカーソルを左進みキー２５ａで左に動かすことにより図９の（Ａ）に示す表示に戻すこともできる。このとき、音声ドライバー９を介してスピーカ１０からは、“徳川家康は表示されている部分を繰り返す。
【００４６】
そして、この情報再生装置１では、ユーザにより上記左進みキー２５ａや右進みキー２５ｂが操作され、情報表示部１２上で上記カーソルが所定の小単位の単語を指し示しながら、ステップＳ８でユーザによりｋｅｙ操作部１３の「Dic」キー２３が操作されると、マイクロコンピュータ２はワードカウンター機能を使い、その単語を特定し、ステップＳ９で辞書機能を動作させる。例えば、「関ヶ原の戦い」にカーソルがあてられてから、「Dic」キー２３が操作されると、図９の（Ｃ）に示すように、「岐阜県の地名」というように単語の意味が表示される。左進みキー２５ａ及び右進みキー２５ｂの操作により辞書を読み進んでいくこともできる。例えばもう一度左進みキー２５ａが操作されると、次の意味「運命の戦い」が表示される。また、「徳川家康」にカーソルがあてられているときに「Dic」キー２３が操作されると、図９の（Ｅ）に示すように、「江戸幕府の初代将軍」と表示される。ここでも左進みキー２５ａ及び右進みキー２５ｂの操作により辞書を読み進んでいくことができ、例えば図９の（Ｆ）に示すように映像を表示することができる。この映像については表示部の能力によって表示できない場合もある。そして、もう一度、「Dic」キー２３が操作されると元の表示に戻る。なお、図９の（Ａ）に示した表示では、始めに「とくがわいえやす」とひらがな表示して、「Dic」キー２３の操作に応じて「徳川家康」と漢字に変換してもよい。
【００４７】
次に、書き込みが可能な記録媒体に対して拡張した機能を実行できる他の情報再生装置について説明する。図１０にはこの情報再生装置３１の構成を示す。ＣＰＵ３２には、ＲＡＭ／ヘッダー記録部３４と、記録媒体ドライバー３５と、音声ドライバー３６と、文字・画像表示ドライバー３８と、ＭＥＭＯ入力部４０とを接続している。
【００４８】
記録媒体ドライバー３５は駆動部と読み書き部を備えている。音声ドライバー３６にはスピーカ３７が接続している。また、文字・画像表示ドライバ３８には例えばＬＣＤからなる情報表示部３９が接続している。記録媒体ドライバー６には取り外し可能で、書き込みもできる記録媒体が装着される。
【００４９】
この情報再生装置３１が上記図１に示した情報再生装置１に対して大きく異ならせるのはＭＥＭＯ入力部４０を設けた点であり、よってその周辺も異なる。また、ＲＡＭとヘッダー記録部を一つにしてＲＡＭ／ヘッダー記録部３４とした点も異なる。ＣＰＵ３２とＲＯＭ３３とＲＡＭ／ヘッダー記録部３４とでマイクロコンピュータを形成している。
【００５０】
ＭＥＭＯ入力部４０は、記載を省略したがｋｅｙ操作部内に設けられている。ｋｅｙ操作部のＩ／Ｏ部４１からデコーダ４２そしてＲＯＭ３３への経路はこの情報再生装置３１において特徴的に動作する。記録媒体ドライバー３５は上述したように、書き込みも可能な記録媒体に対して、読み出しと書き込みも可能である。他の各部については符号が異なるが上記図１に示した各部と同様の機能を備えるので説明を省略する。
【００５１】
この情報再生装置３１の動作について説明する。先ず、記録媒体ドライバー３５に記録媒体が装着されると、情報再生装置３１のＣＰＵ３２は記録媒体の音声データを駆動部及び読み書き部からなる記録媒体ドライバー３５を介して取り出し、ＲＡＭ／ヘッダー記録部３４に送る。音声ヘッダデータはヘッダー記録部３４ａに、音声情報はＲＡＭ３４ｂへ展開する。音声情報を途切れないようにするためにＲＡＭ３４ｂへバッファリングしながら出力する。音声出力レートと記録媒体の読み（書き）レートは、記録媒体の読み（書き）レートを高速にすることで音声出力を安定させる。
【００５２】
操作途中のユーザからのｋｅｙ操作部を用いてのインプットは、キーＩ／Ｏ４１を介してＣＰＵ３２に伝えられる。ＣＰＵ３２は入力動作に対応して文字ヘッダＣn−Ｈを参照し、文字情報Ｃn−Ｉをデータ形式（文字や画像）に応じて出力する。ここでの詳細な動作については上述した通りであるので説明を省略する。
【００５３】
特にこの情報再生装置３１では、読み書き可能な記録媒体に、教科書的なコンテンツが格納されているとき、ユーザからのメモ（ＭＥＭＯ）入力に応じて、文字ヘッダＣn−Ｈに情報管理項目を追加する。これにより次回文字情報Ｃn−Ｉデータを呼び出す際に追加される。これらのＭＥＭＯは書き込んだり、消したりできる。
【００５４】
更に、暗記物のようなコンテンツが記録媒体に格納されている場合には、暗記達成率を音声ヘッダＳn−Ｈに付加できる様にし、暗記達成度のレベルにより内容をスキップできるようにする。この方法はキーを使えば簡単に実現できる。つまり、暗記的な要素の物の場合は、ユーザの暗記度を媒体にフィードバックすることで苦手な暗記対象を選択して取り出せる（スキップできる）。このことによりユーザ個人用の媒体が用意に変化して行き、使い勝手が向上する。
【００５５】
図１１には音声ヘッダＳn−Ｈに例えば達成度を付加できる、読み書き可能な（Ｒ／Ｗ）ＭＥＭＯ領域を有している記録媒体のフォーマット例を示す。
【００５６】
また、図１２には上記記録媒体上に格納された英会話コンテンツのストーリーの一部を示す。音声ヘッダＳ1−Ｈ1に記憶レベル“１”が記されている。Ｓ1-Ｉ1には対応する表示データのアドレス「Ｃ1-Ｈ1」が記されている。
【００５７】
また、図１３には上記記録媒体上に格納された歴史コンテンツのストーリーの一部を示す。音声ヘッダＳ1−Ｈ1には暗記レベル“１”が記されている。Ｓ1-Ｉ1には対応する表示データのアドレス「Ｃ1-Ｈ1」が記されている。なお、ここでは、Ｃ1-Ｉ1に、徳川家康についての辞書データを表示すると共に映像データＣ1-Ｄ1を格納し、表示能力レベル等を数値などでいれておく。フォーマットが違う場合に有効である。
【００５８】
暗記レベルの設定が行える情報記録媒体での英単語学習について、情報表示部３９における表示例を基に説明する。図１４は英単語学習時の情報表示部３９における表示例を示す図である。
【００５９】
先ず、ユーザがｋｅｙ操作部１３の「ＭＥＮＵ」キー１３で暗記レベルによる学習などのｐｌａｙ方法を確定すると、ＣＰＵ３２は図５に示したステップＳ１で、情報再生装置１の能力を確認し、再生・暗記レベルの設定・確認を行う。そして、ユーザが自分で暗記レベルの設定を行うと、情報表示部３９に、このセクションの再生レベルを図１４の（Ａ）に示すように表示する。ユーザによる設定は、上記図２に示した、左進みキー２５ａや右進みキー２５ｂで希望の暗記レベルに（）を合わせEXEキー２６で確定することによって行われる。設定された後の再生開始は、設定レベルの高い方から選択して再生することもできる。これはソフトの作り方しだいで変更できる。
【００６０】
次に、ユーザがｋｅｙ操作部１３の「ＰＬＡＹ」キー２４を操作して再生を開始すると、ＣＰＵ３２は図５に示したステップＳ２により駆動部を使って記録媒体を回転駆動しながら記録媒体から記録媒体読み取り部を使って音声ヘッダＳn-Ｈを読み取りヘッダー記録部３４ａに書き込んでいく。このとき、ステップＳ３で音声情報Ｓn-Ｉを読み込み、音声ドライバー３６を通して、スピーカ３７から発音させる。ここでの再生順番は、Ａ〜Ｚの順番や、セクション毎の順番とされる。例えば、“glamour”がスピーカ１０から発音されているとする。
【００６１】
ここで、ユーザが上記単語を聞きとることができなく、不明であるとしてｋｅｙ操作部１３の「ＥＤ」キー２２を操作すると、ＣＰＵ３２は上記図５のステップＳ４でｋｅｙが操作されたと判断し、ステップＳ５に移りヘッダー記録部３４ａより音声ヘッダＳn-Ｈを呼び出し、さらにステップＳ６で音声ヘッダＳn-Ｈに結合されて記録されている文字ヘッダＣn-Ｈを検索する。ステップＳ７では、ステップＳ６で検索された文字ヘッダＣn-Ｈの文字情報Ｃn-Ｉ、すなわち音声で流れていた「glamour」を図１４の（Ｂ）に示すように情報表示部３９に表示する。スピーカ３７からはこの部分が繰り返し発音される。
【００６２】
次に、この情報再生装置３１では、図５のステップＳ８でユーザによりｋｅｙ操作部１３の「Dic」キー２３が操作されると、ＣＰＵ３２が、ステップＳ９で辞書機能を動作させ、発音記号や意味を情報表示部３９に表示する。
【００６３】
ｋｅｙ操作部１３の左進むキー２５ａや右進みキー２５ｂにより図１４の（Ｃ）に示すように読み進んでいくことができる。また、例文の表示もできる。
【００６４】
さらに、この情報再生装置３１では、単語毎の暗記レベルの設定を行える。例えば、最後に図１４の（Ｄ）に示すような暗記レベル表示が表示され、そこで、１，２，３，４・・・のレベルをユーザに選ばせ、「EXE」キー２６で確定させている。もう一度、ユーザにより「Dic」キー２３が押されると元に戻る。
【００６５】
以上に説明したように、本実施の形態によれば、記録媒体に格納されている音声情報や視覚情報を、フローチャートの様に動作させることで、音声として聞き取れない部分（或いは音声だけでは不充分であるようなものは文字出力・漢字等）をキー入力により表示させて音声データを明確にできる。また、文字にして表示しても分からない部分は、ポインタを操作して辞書表示機能を使う。このように音声、文字、辞書（画像）と言った情報を結合して取り出せることにより英会話等の学習効率が飛躍的に向上する。当然、従来のような持ち物を削減できるし、アクセスを早くできる。
【００６６】
なお、上記の例では、英→日・英→英の例になっているが、組み合わせを逆にすれば、日→英・日→日あるいは、応用すれば英・仏・日を組み合わせた語学学習機になりうる。
【００６７】
例えば、日→英の具体例を、英会話を例に説明する。図１５には情報表示部の表示例を示す。先ず、ユーザがｋｅｙ操作部１３の「ＰＬＡＹ」キー２４を操作し再生を始め、さらに「ＥＤ］キー２２を押すと、例えば図１５の（Ａ）に示すように「日本の新聞は・・・」と情報表示部に表示される。
【００６８】
ユーザが左進むキー２５ａや右進みキー２５ｂによって次の語句を読み進んでいき、「Dic」キー２３を押すと、図１５の（Ｂ）に示すように、英文が表示される。そして、左進みキー２５ａや右進みキー２５ｂが操作されることによって次の語句を読み進んでいく。
【００６９】
【発明の効果】
本発明によれば、目的のストーリーに対して音声に対して、文字、映像といったものを最適な形で任意にとりだすことができる。このため、聞き取れなかった音声情報を文字情報で確認できる。あるいは、音声だけでは確認できなかった、人名や地名の書き方（漢字表示、画像表示）を行える。
【図面の簡単な説明】
【図１】本発明の実施の形態となる情報再生装置の構成を示すブロック図である。
【図２】上記情報再生装置のｋｅｙ操作部のキー配置を示す図である。
【図３】上記情報再生装置の情報表示部の表示例を示す図である。
【図４】音声ヘッダＳn-Ｈ、音声情報Ｓn-Ｉ、文字ヘッダＣn-Ｈ、文字情報Ｃn-Ｉと、さらに辞書データＤnＤの格納フォーマット図である。
【図５】上記情報再生装置の動作を説明するためのフローチャートである。
【図６】記録媒体上に格納された英会話コンテンツのストーリーの一部を示す図である。
【図７】上記図６に一部を示した英会話コンテンツを記録している記録媒体が情報再生装置にセットされたときの、情報再生装置の動作を説明するのに用いる情報表示部の表示状態を示す図である。
【図８】記録媒体上に格納された歴史コンテンツのストーリーの一部を示す図である。
【図９】上記図８に一部を示した歴史コンテンツを記録している記録媒体が情報再生装置にセットされたときの、情報再生装置の動作を説明するの用いる情報表示部の表示状態を示す図である。
【図１０】書き込みが可能な記録媒体に対して拡張した機能を実行できる他の情報再生装置の構成を示す図である。
【図１１】音声ヘッダＳn−Ｈに例えば達成度を付加できる、読み書き可能な（Ｒ／Ｗ）ＭＥＭＯ領域を有している記録媒体のフォーマット図である。
【図１２】上記記録媒体上に格納された英会話コンテンツのストーリーの一部を示す図である。
【図１３】上記記録媒体上に格納された歴史コンテンツのストーリーの一部を示す図である。
【図１４】英単語学習時の上記他の情報再生装置の情報表示部における、表示例を示す図である。
【図１５】日→英の具体例を、英会話を例にして説明するために用いる、情報表示部の表示例を示す図である。
【符号の説明】
１  情報再生装置、２  マイクロコンピュータ、３  ＣＰＵ、６  記録媒体ドライバー、７  記録媒体読み取り部、８  駆動部、９  音声ドライバー、１１  文字・画像表示ドライバ、１２  情報表示部、１３  ｋｅｙ操作部、１４  ヘッダー記録部
【図１】
0004099907.tif 000002
【図２】
0004099907.tif 000003
【図３】
0004099907.tif 000004
【図４】
0004099907.tif 000005
【図５】
0004099907.tif 000006
【図６】
0004099907.tif 000007
【図７】
0004099907.tif 000008
【図８】
0004099907.tif 000009
【図９】
0004099907.tif 000010
【図１０】
0004099907.tif 000011
【図１１】
0004099907.tif 000012
【図１２】
0004099907.tif 000013
【図１３】
0004099907.tif 000014
【図１４】
0004099907.tif 000015
【図１５】
0004099907.tif 000016